【手続補正書】
【提出日】平成22年6月15日(2010.6.15)
【手続補正１】
【補正対象書類名】明細書
【補正対象項目名】００２１
【補正方法】変更
【補正の内容】
【００２１】
各コイル（Ａ，Ｂ，Ｃ）用の導電ワイヤが、第一に、例えば時計回りの一方向に巻かれ、第１コイル群（Ａ１，Ｂ１，及びＣ１）を形成し、次に、例えば反時計回りの他の反対方向に巻かれ、第２コイル群（Ａ２，Ｂ２，及びＣ２）を形成する。巻き方向が、図において矢印で示されている。マンドレルの周囲において、時計回り及び半時計回り方向に、交互にコイルを巻くことにより、追加的なコイル群が、形成されることが可能である。所望の数のコイル群が形成されるまで、巻き方向を逆転させることにより、コイル群の巻きが、繰り返される。
【手続補正２】
【補正対象書類名】明細書
【補正対象項目名】００２７
【補正方法】変更
【補正の内容】
【００２７】
ウェブの端部に最も近いコイルセグメント（Ａ１，Ｂ１及びＢ２’並びにＣ２’）が、間隙（Ｇ）で互いに分離される。これらの間隙が、ウェブの反対の端部から、コイルセグメントを受け入れる。ウェブが、シリンダー状に巻かれた場合、特に、セグメントＡ１が、セグメントＡ２’とＢ２’との間の間隙内に適合し、セグメントＢ１が、セグメントＢ２’とＣ２’との間の間隙内に適合する。
【手続補正３】
【補正対象書類名】明細書
【補正対象項目名】００４２
【補正方法】変更
【補正の内容】
【００４２】
図１３は、２重層ステータシリンダー５８状に巻かれたウェブ５６の断面端面図である。各シリンダーの層が、２組の３つのコイルの群を含む。外側の層が、第１コイル群２７のコイル群セグメントＡ１，Ｂ１，Ｃ１、並びに第１コイル群２７のＡ１’，Ｂ１’及びＣ１’を含む。内部の層が、コイル群２９のコイル群セグメントＡ２，Ｂ２，Ｃ２、並びにコイル群２９のセグメントＡ２’，Ｂ２’及びＣ２’を含む。重なるコイルセグメント、例えばＡ１とＡ２が、同じ巻き方向を有し（図１１参照）、電流方向が、重なったセグメントを通して同じである。さらに、反対の巻き方向を有し、且つ同じコイル巻線、例えばＡから生じるコイルセグメント、例えば、Ａ１’とＡ２’が、シリンダーの反対側上にある。従って、各コイル巻線において、電流が、ステータシリンダーの一側上において一方向に、及びシリンダーの反対側上において反対方向に流れる。
【手続補正４】
【補正対象書類名】明細書
【補正対象項目名】００４９
【補正方法】変更
【補正の内容】
【００４９】
図１８は、マンドレル１６上において、２つのコイル群１２，１４（Ａ１，Ｂ１及びＣ１、並びにＡ２，Ｂ２及びＣ２）に巻かれた３つのコイル巻線（Ａ，Ｂ，Ｃ）の第４のコイル巻線配置７０の配線図である。この第４コイル巻線配置は、第２コイル群（Ａ２，Ｂ２及びＣ２）が、第１コイル群（Ａ１，Ｂ１及びＣ１）と同じ方向に巻かれるという点を除き、図１に示された３つのコイル巻線と同様である。一方、第１コイル巻線配置１０の第２コイル群（Ａ２，Ｂ２及びＣ２）が、第１コイル群（Ａ１，Ｂ１及びＣ１）のコイル巻き方向と反対方向に巻かれる。この第４コイル巻線配置は、４極ローター用のステータ界磁巻線としての使用に適しており、一方、第１コイル巻線配置は、２極ローター用のステータ界磁巻線としての使用に適している。
【手続補正５】
【補正対象書類名】明細書
【補正対象項目名】００５６
【補正方法】変更
【補正の内容】
【００５６】
図１９は、マンドレルが取り外された後の、コイル巻線（図１８に示される）を示す。コイルが、単層ウェブ７６状に平坦化される。コイルセグメントの適切な交互配置を確保する。平坦化プロセスの間に、コイルの第１の側上のセグメント、例えばＡ１が、コイルの反対側上における選択されたセグメント、例えばＢ１’とＣ１’との間の間隙内の位置に向かって、軸方向にシフトされる。セグメント（例えば、Ａ１’，Ｂ１’，Ａ１，Ｃ１’，Ｂ１，Ａ２’，Ｃ１，Ｂ２’，Ａ２，Ｃ２’，Ｂ２及びＣ２）が、平行であり、重ならないように、コイルセグメントが、ウェブ内に配置される。コイルセグメント２４，２６（例えば、Ａ１，Ｂ１，Ｃ１，Ａ１’，Ｂ１’及びＣ１’）が、ローターに隣接するステータ部を形成するウェブの一部である。これらがローターの回転軸に平行となるように、コイルセグメント２４，２６が、ステータ内に配置される。
【手続補正６】
【補正対象書類名】明細書
【補正対象項目名】００５７
【補正方法】変更
【補正の内容】
【００５７】
図２０は、シリンダー状ステータ界磁巻線７８状に形成されたウェブ７６のウェブセグメントの断面図である。このウェブが、交互配置されたコイルセグメントを備え、シリンダー形状に巻かれる。ウェブの端部におけるコイルセグメント（Ａ１’）が、他のコイルセグメント（Ｂ２及びＣ２）に挟まれ（ｉｎｔｅｒｌｅａｖｅ）、これらの他のセグメントと重ならない。シリンダー状ウェブの内径が、実質的に、ステータの内部の径の直径である。ステータセグメントが、シリンダーの軸に平行である。４極ローター（図２１においてＮ極、Ｓ極、Ｎ極、Ｓ極によって表されるローターを参照）が、ウェブ７６によって形成されたシリンダー状ステータ界磁巻線７８内において同軸上に適合する。電流が、ステータの両側上において同じ方向に流れるように、各コイル巻線（Ａ，Ｂ，Ｃ）からのコイルセグメントが、ステータ内に配置される。
【手続補正７】
【補正対象書類名】図面
【補正対象項目名】図１９
【補正方法】変更
【補正の内容】
【図１９】
2010515418.tif 000001
【手続補正８】
【補正対象書類名】特許請求の範囲
【補正対象項目名】全文
【補正方法】変更
【補正の内容】
【特許請求の範囲】
【請求項１】
第１コイル群及び第２コイル群内に配置された複数のコイル巻線を含むスロットレスステータ用の、３相界磁巻線を形成する方法であって、前記方法が、
マンドレルの周囲に各コイル巻線用の絶縁ワイヤを巻くことにより、前記第１コイル群を形成し、前記ワイヤの各ターンが、前記ワイヤの次のターンと隣接する段階であって、完成時に、前記第１コイル群内の各コイル巻線が、実質的に同じコイル幅を有し、前記第１コイル群内の隣接するコイル巻線間の分離が、完成した巻線の１つの幅と実質的に等しい距離である段階と；
前記第１コイル群を形成する段階の後で、マンドレルに沿って軸方向に絶縁ワイヤを、各コイル巻線の後縁から、完成した巻線の１つの幅の５倍と実質的に等しい距離である、前記第２コイル群内の各コイル巻線の前縁におけるワイヤの位置までシフトする段階と；
前記ワイヤの各ターンが、前記ワイヤの次のターンと隣接するように、マンドレルの周囲に各コイル巻線用の絶縁ワイヤを巻くことにより第２コイル群を形成する段階であって、完成時に、前記第２コイル群及び前記第１コイル群内の各コイル巻線が、実質的に同じコイル幅を有し、前記第２コイル群内の隣接するコイル巻線間の分離が、完成した巻線の１つの幅と実質的に等しい距離である段階と；
巻かれた第１及び第２コイル群からマンドレルを取り外す段階と；
前記第１コイル群からの１つ以上のコイル巻線セグメントが、前記第２コイル群のコイル巻線セグメントの間に交互配置されるように、巻かれた第１コイル群と第２コイル群を単層ウェブ状に折り畳む段階と；及び、
界磁巻線を形成するように、前記単層ウェブをシリンダー状に巻く段階と、を含むことを特徴とする３相界磁巻線を形成する方法。
【請求項２】
環状磁束リターンリングの内表面上に前記シリンダーを組み込む段階をさらに含むことを特徴とする請求項１に記載の方法。
【請求項３】
前記ウェブ内の交互配置コイル巻線セグメントが、同じコイル巻線からの隣接するコイル巻線セグメントを含むことを特徴とする請求項１に記載の方法。
【請求項４】
前記ウェブを巻く段階が、前記シリンダーの両側上に同じコイル巻線からの隣接するコイル巻線セグメントの組を設置することを特徴とする請求項３に記載の方法。
【請求項５】
前記ウェブを巻く段階が、前記ウェブの一端部からのコイル巻線セグメントが、前記ウェブの反対側の端部からのコイル巻線セグメントと交互配置される段階を含むことを特徴とする請求項１に記載の方法。
【請求項６】
前記セグメントが、同じコイル巻線からのコイル巻線セグメントと隣接するように、前記ウェブの両端部からのコイル巻線セグメントが、交互配置されることを特徴とする請求項５に記載の方法。
【請求項７】
各コイル巻線の端部を、共通端子に電気的に接続する段階と、各コイル巻線の反対の端部を３相電力供給装置の各相に接続可能な端子に接続する段階とをさらに含むことを特徴とする請求項１に記載の方法。
【請求項８】
前記第２コイル群の巻き方向が、前記第１コイル群の巻き方向と反対であることを特徴とする請求項１に記載の方法。
【請求項９】
第１コイル群及び第２コイル群を含む複数のコイル巻線と；
前記第１コイル群からの１つ以上のコイル巻線セグメントが、前記第２コイル群のコイル巻線セグメント間に交互配置されるように、折り畳まれた前記第１コイル群と前記第２コイル群を含むシリンダー状ウェブと；
を備え、
前記シリンダー状ウェブが、
各コイル巻線用の絶縁ワイヤの第１らせん状巻線を含む第１コイル群を形成するプロセスであって、前記ワイヤの各ターンが、前記ワイヤの次のターンと隣接し、前記第１コイル群においてマンドレル上の隣接するコイル巻線間の間隙が、実質的に、前記第１群内のコイル巻線の幅と等しくなるように、前記ワイヤを、前記マンドレルの周囲に巻くことにより、第１コイル群を形成するプロセスと；
各コイル巻線用の絶縁ワイヤの第２らせん状巻線を含む第２コイル群を形成するプロセスであって、前記ワイヤの各ターンが、前記ワイヤの次のターンと隣接するように、前記ワイヤが、マンドレルの周囲に巻かれ、完成時に、前記第２コイル群及び前記第１コイル群内の各コイル巻線が、実質的に同じコイル幅を有し、前記第２コイル群内の前記マンドレル上の隣接するコイル巻線間の間隙が、前記第２群内のコイル巻線の幅と実質的に等しい第２コイル群を形成するプロセスと；
により形成されることを特徴とするスロットレスステータ用の３相界磁巻線。
【請求項１０】
環状磁束リターンリングをさらに含み、
前記シリンダー状ウェブが、前記リングの内表面上に組み込まれることを特徴とする請求項９に記載の３相界磁巻線。
【請求項１１】
前記ウェブ内の交互配置コイル巻線セグメントが、同じコイル巻線からの隣接するコイル巻線セグメントを含むことを特徴とする請求項９に記載の３相界磁巻線。
【請求項１２】
同じコイル巻線からの前記隣接するコイル巻線セグメントの組が、前記シリンダーの両側上にあることを特徴とする請求項１１に記載の３相界磁巻線。
【請求項１３】
前記ウェブの一端部からのコイル巻線セグメントが、前記ウェブの反対側の端部からのコイル巻線セグメントと交互配置されていることを特徴とする請求項９に記載の３相界磁巻線。
【請求項１４】
前記セグメントが、同じコイル巻線からのコイル巻線セグメントと隣接するように、前記ウェブの両端部からのコイル巻線セグメントが、交互配置されていることを特徴とする請求項１３に記載の３相界磁巻線。
【請求項１５】
各コイル巻線の端部が、共通端子に接続されており、
各コイル巻線の反対側の端部が、３相電力供給装置の各相に接続可能な端子に接続されていることを特徴とする請求項９に記載の３相界磁巻線。
【請求項１６】
前記第２コイル群の巻き方向が、前記第１コイル群の巻き方向と反対であることを特徴とする請求項９に記載の３相界磁巻線。
【請求項１７】
前記第２コイル群が、前記マンドレルの周囲に、前記第１コイル群と同じ方向に巻かれていることを特徴とする請求項９に記載の３相界磁巻線。
【請求項１８】
コイル巻線の第１群を形成するように、マンドレルの周囲に複数の絶縁導体をらせん状に巻く段階であって、前記コイル巻線の第１群が、前記巻線の各相からの巻線セグメントを含み、前記マンドレル上において、前記第１群内の巻きコイルが、前記第１群内の他の巻きコイルの少なくとも１つと直接隣接する段階と、；
前記第１群内の前記巻きコイルの幅と実質的に等しい距離だけ、前記マンドレルに沿った軸方向に前記導体の長さをシフトする段階と、；
コイル巻線の前記第１群の後縁から、前記第１群からの前記巻きコイルの幅と実質的に等しい距離から開始し、前記第１群に使用されたのと同じ巻き方向にコイルの第２群をらせん状に巻く段階であって、前記コイルの第２群が、前記巻線の各相からの巻きセグメントを含み、前記マンドレル上において、形成された前記第２群内の前記巻きコイルが、前記第２群内の他の巻きコイルの少なくとも１つと直接隣接する段階と、；
単層ウェブを形成するように、前記マンドレルを取り外し、前記コイルを平坦化する段階であって、前記マンドレルの第２の側上に形成される前記コイルの第１群からのセグメントの群が、前記マンドレルの第１の側上に形成される前記コイルの第１群からのセグメントの群と前記マンドレルの第１の側上に形成される前記コイルの第２群からのセグメントの群との間に交互配置される段階と、；及び、
前記第１群からのコイルが、同じ導体によって形成された前記第２群からのコイルと重なるように、２層シリンダー状にウェブを巻く段階とを含むことを特徴とする電磁気多相デバイス用の界磁を巻く方法。
【請求項１９】
磁束リターンリングの内表面上に前記シリンダーを組み込む段階をさらに含み、
前記コイルセグメントが、前記シリンダーの重心軸と平行であることを特徴とする請求項１８に記載の方法。
【請求項２０】
前記複数の絶縁導体が３つであることを特徴とする請求項１８に記載の方法。
【請求項２１】
第１群内の前記マンドレルの第１の側上に形成された前記コイルセグメントが、前記第２群内の前記マンドレルの前記第１の側上に形成されたコイルセグメントと重なっていることを特徴とする請求項１８に記載の方法。
【請求項２２】
第１群内の前記マンドレルの第２の側上に形成された前記コイルセグメントが、前記第２群内の前記マンドレルの前記第２の側上に形成されたコイルセグメントと重なっていることを特徴とする請求項２１に記載の方法。
【請求項２３】
前記シリンダーの第１の層が、前記第１群のコイルセグメントによって形成され、
前記シリンダーの第２の層が、前記第２群のコイルセグメントによって形成されることを特徴とする請求項１８に記載の方法。
【請求項２４】
マンドレルの周囲に各コイル巻線用の絶縁ワイヤを巻くことにより３つのコイル巻線のコイル群を形成し、前記ワイヤの各ターンが、前記ワイヤの次のターンと隣接する段階であって、完成時に、前記コイル群内の各コイル巻線が、実質的に同じコイル幅を有し、前記第１コイル群内の隣接するコイル巻線間の分離が、完成した巻線の１つの幅と実質的に等しい距離である段階と、；
巻きコイル群から前記マンドレルを取り外す段階と、；
前記マンドレルの第１の側からのコイル巻線セグメントが、前記マンドレルの反対側からのコイル巻線セグメントの間に交互配置され、単層ウェブを形成するように、前記巻きコイル群を折り畳む段階と、；及び
界磁巻線を形成するようにシリンダー状に単層ウェブを巻く段階であって、前記ウェブの一端部上におけるコイル巻線セグメントが、前記ウェブの反対側の端部におけるコイル巻線セグメントの間に交互配置され、同じコイル巻線からの巻線セグメントが、シリンダーの両側上にある段階とを含むことを特徴とする３つのコイル巻線を含むスロットレスステータ用の３相界磁巻線を形成する方法。
【請求項２５】
磁束リターンリングの内表面上に前記シリンダーを組み込む段階をさらに含み、
前記コイル巻線セグメントが、前記シリンダーの重心軸と平行であることを特徴とする請求項２４に記載の方法。
【請求項２６】
前記ウェブ状に折り畳まれ、コイルセグメント間に交互配置された場合に、前記コイルセグメントが重ならないことを特徴とする請求項２４に記載の方法。
【請求項２７】
各コイル巻線の端部を、共通端子に電気的に接続する段階と、
各コイル巻線の反対側の端部を、３相電力供給装置の各相に接続可能な端子に接続する段階をさらに含むことを特徴とする請求項２４に記載の方法。
【請求項２８】
第１コイル群及び第２コイル群内に配置された複数のコイル巻線を含むスロットレスステータ用の３相界磁巻線を形成する方法であって、
マンドレルの周囲において第１方向に各コイル巻線用の絶縁ワイヤを巻くことにより第１コイル群を形成する段階であって、前記ワイヤの各ターンが、前記ワイヤの次のターンと隣接し、完成時に、前記第１コイル群内の各コイル巻線が、実質的に同じコイル幅を有し、前記第１コイル群内の隣接するコイル巻線間の分離が、完成した巻線の１つの幅と実質的に等しい距離である段階と、；
前記第１コイル群を形成する段階の後で、前記マンドレルに沿って軸方向に前記絶縁ワイヤを、各コイル巻線の後縁から、完成した巻線の１つの幅の５倍と実質的に等しい距離である、前記第２コイル群内の各コイル巻線の前縁における前記ワイヤの位置までシフトする段階と；
前記ワイヤの各ターンが、前記ワイヤの次のターンと隣接するように、前記マンドレルの周囲に同じ第１方向に各コイル巻線用の絶縁ワイヤを巻くことにより第２コイル群を形成する段階であって、完成時に、前記第２コイル群及び前記第１コイル群内の各コイル巻線が、実質的に同じコイル幅を有し、前記第２コイル群内の隣接するコイル巻線間の分離が、完成した巻線の１つの幅と実質的に等しい距離である段階と；
巻かれた第１及び第２コイル群からマンドレルを取り外す段階と；
前記マンドレルの第１の側上に形成されるコイル巻線セグメントが、前記マンドレルの反対側上に形成されるコイル巻線セグメントと交互配置されるように、前記巻かれた第１コイル群及び前記第２コイル群を単層ウェブに折り畳む段階と、；
界磁巻線を形成するようにシリンダー状に前記単層ウェブを巻く段階とを含むことを特徴とする方法。